(57)【要約】  通信ネットワークを介して電話番号案内または音声メール取出しサービスを利用する（図１）ための通信システムおよび通信方法を開示する。この通信システムは、テキスト情報を見るためのディスプレイを有する通信装置を含み、通信装置はディジタル加入者線（ＤＳＬ）電話網に接続されている。データベース・アプリケーション（３０）は、電話番号情報を含み、通信装置から離れた位置に配置されている。ある機構が通信装置に接続されており、この機構が起動したときに、ユーザがデータベース・アプリケーション（３０）上の電話番号情報にＤＳＬネットワークを介してアクセスできるようになっている。電話番号情報は、ユーザが入力した情報に応答して通信装置のディスプレイに送られる。
2005515717.tif 000002
【特許請求の範囲】
【請求項１】
ディジタル加入者線（ＤＳＬ）ネットワークにおけるデータベース伝送システムであって、
ＤＳＬネットワーク（１）と、
前記ＤＳＬネットワーク内の、電話番号情報を含むデータベース・アプリケーション（３０）と、
エンド・ユーザからの要求に応答して前記データベース・アプリケーション（３０）上の電話番号情報を提供するための、前記データベース・アプリケーションからエンド・ユーザまでの通信リンクとを含むデータベース伝送システム。
【請求項２】
前記要求が、電話機（３）のキーパッドを用いてユーザにより入力される、請求項１に記載のデータベース伝送システム。
【請求項３】
前記電話機のキーパッドのボタン（４４）が、前記データベース・アプリケーションとの通信を開始するための専用である、請求項２に記載のデータベース伝送システム。
【請求項４】
前記データベース・アプリケーション（３０）が、前記ＤＳＬネットワーク内の電話局（１００）に位置する、請求項１に記載のデータベース伝送システム。
【請求項５】
前記電話番号情報が、複数の項目を含み、前記データベース・アプリケーションが、複数の項目からなるリストから項目（４１）を選択して前記項目に対する電話呼を開始することを可能にする、請求項１に記載のデータベース伝送システム。
【請求項６】
前記電話番号情報が、項目の営業時間についての情報を含む、請求項１に記載のデータベース伝送システム。
【請求項７】
前記電話番号情報が、前記データベース・アプリケーション内の優先順位評価に従って配列された情報を含む、請求項１に記載のデータベース伝送システム。
【請求項８】
前記データベース・アプリケーション（３０）が、エンド・ユーザからの電話呼の最中に前記エンド・ユーザに対して同時に情報を提供するように構成された、請求項１に記載のデータベース伝送システム。
【請求項９】
前記データベース・アプリケーション（３０）が、エンド・ユーザの通信装置がオンフック状態である間に、前記通信装置に対して情報を提供するように構成された、請求項１に記載のデータベース伝送システム。
【請求項１０】
ディジタル加入者線（ＤＳＬ）ネットワーク（１）を介してテキスト電話番号案内をエンド・ユーザに提供する方法であって、
遠隔に位置する装置からの通信をネットワーク内に配置されたデータベース・アプリケーションで受信するステップと、
前記通信に応答して、前記データベース・アプリケーション内の複数の電話番号カテゴリを検索するステップと、
前記通信に応答して、複数のカテゴリに分けられた前記電話番号から少なくとも１つの電話番号項目をエンド・ユーザに送信するステップとを含む方法。
【請求項１１】
ある電話番号カテゴリの情報が、複数の項目を含む方法であり、複数の項目からなるリストから項目を選択して前記項目に対する電話呼を開始するステップを更に含む、請求項１０に記載の方法。
【請求項１２】
選択した項目に対する呼を自動的に行うステップを更に含む、請求項１１に記載の方法。
【請求項１３】
少なくとも１つの電話番号項目を送信する前記ステップが、少なくとも１人のエンド・ユーザが前記ネットワークに接続されている間に実行される、請求項１０に記載の方法。
【請求項１４】
少なくとも１つの電話番号項目を送信する前記ステップが、前記電話機がオフフック状態にある間に実行される、請求項１０に記載の方法。
【請求項１５】
少なくとも１つの項目を受信した時点で、営業時間内である企業項目のみを表示するステップを更に含む、請求項１０に記載の方法。
【請求項１６】
前記送信ステップが、通信における優先基準に従って企業項目を送信するステップを含む、請求項１０に記載の方法。
【発明の詳細な説明】
【技術分野】
【０００１】
本発明は、一般に、ネットワーク通信に関する。特に、ディジタル加入者線（ＤＳＬ）モデムを用いて加入者構内またはオフィスの多機能電話に電話番号およびその他の企業情報を伝送する方法およびシステムに関する。
【背景技術】
【０００２】
従来の電話システムは、送受信用受話器（ｈａｎｄｓｅｔ：ハンドセット）と、別の場所にいる所望の受信者と連絡をとるために、ユーザが簡単に７桁または１０桁の数字を入力できるキーパッドとで構成される。通常、受話器は、音声を電気信号に変換し、且つ電気信号を音声に変換する音声変換器を含んでいる。音声信号は、最終的に遠隔の受信機に接続される電話局に、ツイスト・ペア（撚線対）銅線を介してアナログ形式で搬送される。これらのシステムでは、ユーザは、ある個人または店舗の電話番号情報を知りたいと思った場合には、地域電話会社から入手した印刷された電話帳（個人別電話帳または職業別電話帳）で探すか、アナログ音声チャネルを用いて交換手に電話をかけて直接情報を求めることができる。
【０００３】
これらのサービスでは、電話帳で調べるか、または交換手に電話をかけることが必要となるが、必要な情報が得られないことがあり、また電話番号案内に割増料金が課金されるので比較的高価になる傾向がある。ユーザが、使用する電話機に直接電話番号案内を提供するシステムおよび方法を提供することができれば有利である。現在のところ、ダイヤルアップ・モデムを利用したアナログ・システムにおいて、電話番号案内を伝送する自動機構が用いられている。例えば、フランスで使用されているＭＩＮＩＴＥＬ（商標）（ミニテル）システムは、アナログ・システムで電話番号案内を提供するものである。
【０００４】
従って、電話番号データまたはその他の情報をディジタル信号線ネットワークを介して電話またはその他の加入者構内装置に直接伝送するシステムおよび方法が必要とされている。
【発明の開示】
【０００５】
（発明の概要）
通信ネットワークを介して電話番号案内を利用するための通信システムおよび通信方法を開示する。通信システムは、テキスト（文字）情報を見るためのディスプレイを有する通信装置を含み、通信装置は、ディジタル加入者線（ＤＳＬ）電話網に接続されている。データベース・アプリケーションは、電話番号情報を含み、通信装置から離れた位置に配置されている。ある装置が、通信装置に接続されており、装置が起動したときに、ユーザが、データベース・アプリケーション上の電話番号情報にＤＳＬネットワークを介してアクセスできるようになっている。電話番号情報は、ユーザが入力した情報に応答して通信装置のディスプレイに送られる。
【０００６】
通信ネットワークを介して音声メール取出し、サービスを利用するための別の通信システムおよび通信方法を開示する。テキスト情報を見るためのディスプレイを有する通信装置が含まれる。通信装置は、ディジタル加入者線（ＤＳＬ）ネットワークに接続され、ＤＳＬネットワーク内に位置する音声メール・サーバから離れた位置に配置される。音声メール・サーバは、ＤＳＬネットワークを介して通信装置のメッセージを受信し記録するための、ＤＳＬネットワークに接続された応答装置を含んでいる。ある装置が、通信装置に接続されており、装置が起動したときに、ユーザは、音声メール・サーバに記憶されたメッセージにＤＳＬネットワークを介してアクセスできるようになっている。これらのメッセージは、テキスト形式で表現され、通信装置のディスプレイに送られる。メッセージ・リストから項目を選択してメッセージを取り出すためのセレクタ機構が設けられている。
【０００７】
本発明によるテキスト電話番号案内を、ＤＳＬ通信ネットワークを介してエンド・ユーザに提供する方法は、通信ネットワーク内に配置されたデータベース・アプリケーションとの通信を遠隔に配置された通信装置から開始するステップを含んでいる。通信装置はディスプレイを有する。電話番号のカテゴリは、キー入力された情報を通信装置から入力することにより選択され、通信装置のディスプレイ上のキー入力された情報に応答して少なくとも１つの電話番号項目が受信される。
【発明を実施するための最良の形態】
【０００８】
本発明の利点、特性および様々な付加的特徴は、添付の図面に関連づけて以下に詳細に述べる例示的な実施形態について考慮すればより完全に明らかになろう。
【０００９】
添付の図面は、本発明の概念を説明するためのものであり、本発明を図示することができる唯一の構成ではないことを理解されたい。
【００１０】
本発明は、通信装置またはシステム（例えば、電話機）から直接アクセスすることができるデータベースを用いて、ある個人または店舗に連絡をとるための情報を捕捉するシステムおよび方法を含んでいる。例えば、一実施形態では、コンピュータ・アプリケーションがどこかの遠隔位置（例えば、電話局）にあり、これが高性能電話機と通信して、電話番号リストまたは企業連絡情報をその電話機自体の位置で提供する。システムは、使用量に基づいて、または例えば月額サービス料金など一定サービス料金で、ユーザに提供する。サービスは、様々なプランで提供することもできるし、特定のビジネス・ニーズに応じてカスタマイズすることもできる。好ましい実施形態は、常時接続ディジタル・ネットワークを介してサービス情報を伝送する方法を含んでいる。情報サービスの伝送は、ＤＳＬネットワークを介して私設手段を用いて実行することが好ましい。
【００１１】
図面に示す要素は、ハードウェア、ソフトウェア、またはそれらの組合せといった様々な形態で実施することができることを理解されたい。好ましくは、これらの要素は、プロセッサやメモリ、入出力インタフェースなど、１つまたは複数の適当にプログラムされた汎用デバイス上にハードウェアの形式で実施される。本開示では、高性能電話機の使用を開示するが、その他の通信装置を利用することもできる。本発明によれば、例えば、携帯情報端末（ＰＤＡ）、携帯電話、ラップトップ・コンピュータ、またはその他任意のディスプレイを有する通信装置を利用する。
【００１２】
次に、類似または同一の要素を同じ参照番号で示してある複数の図面、まずは図１を詳細に参照すると、ディジタル加入者線アーキテクチャ・システム１の概略ブロック図が示してある。システム・アーキテクチャ１は、本発明による方法および装置を利用する例示的なＤＳＬ環境として示してある。このシステム・アーキテクチャを構成する個々のブロック構成要素の詳細は、当業者には既知であるため、本発明の理解に足りるだけの細部についてのみ述べる。ブロック図に示すシステム１は、幾つかの機能ブロックで構成される。システム領域は、電話局（ＣＯ：Ｃｅｎｔｒａｌ  Ｏｆｆｉｃｅ）機器１００および加入者構内機器（ＣＰＥ：Ｃｕｓｔｏｍｅｒ  Ｐｒｅｍｉｓｅ  Ｅｑｕｉｐｍｅｎｔ）２で構成される。システム領域内の構成要素ブロックおよびそれらそれぞれのインタフェースは、加入者構内機器（ＣＰＥ）、ディジタル加入者線アクセス・マルチプレクサ（ＤＳＬＡＭ：ＤＳＬ  Ａｃｃｅｓｓ  Ｍｕｌｔｉｐｌｅｘｅｒ）９、ＡＴＭ（非同期転送モード）スイッチ１０、インターネット・プロトコル（ＩＰ）ルータ１３およびＡＴＭ／ＤＳＬターミネータ１２、並びにネットワーク制御システム（ＮＣＳ：Ｎｅｔｗｏｒｋ  Ｃｏｎｔｒｏｌ  Ｓｙｓｔｅｍ）１１である。
【００１３】
加入者構内機器（ＣＰＥ）２の１つの例示的な構成は、例えば、従来の電話サービス（ＰＯＴＳ：Ｐｌａｉｎ  Ｏｌｄ  Ｔｅｌｅｐｈｏｎｅ  Ｓｅｒｖｉｃｅ）を利用するアナログ電話機（例えば、アナログ電話機３、４、５および６）とのインタフェースをとるＤＳＬモデム・ユニット３１と、ＰＣデスクトップ・システム７への１０ＢＡＳＥ−Ｔイーサネット（登録商標）接続と、例えばテレビジョンまたはビデオ・ディスプレイ８′に接続されるデコーダ付きセット・トップ・ボックス（ＳＴＢ）８へのイーサネット（登録商標）またはＲＳ４２２接続とを含んでいる。加入者のアナログ端から見て、ＣＰＥ装置２は、電話装置３〜６のそれぞれからアナログ入力を受け取り、このアナログ入力をディジタル・データに変換し、データをパッケージ化してＡＴＭ（非同期転送モード）パケット（ＡＴＭを介したＰＯＴＳ）にする。各接続は、独自の仮想チャネル識別子／仮想パス識別子（ＶＣＩ／ＶＰＩ）を有する。当業者には既知の通り、ＡＴＭは、コネクション型プロトコルであり、従って、物理リンク状の所定の仮想チャネルとセルとを明示的に関連づける接続識別子が全てのセル・ヘッダにある。接続識別子は、仮想チャネル識別子（ＶＣＩ：Ｖｉｒｔｕａｌ  Ｃｈａｎｎｅｌ  Ｉｄｅｎｔｉｆｉｅｒ）および仮想パス識別子（ＶＰＩ：Ｖｉｒｔｕａｌ  Ｐａｔｈ  Ｉｄｅｎｔｉｆｉｅｒ）という２つのサブフィールドを含んでいる。これらの識別子を共に使用して、ネットワークを介してセルの多重化、逆多重化および切換えを行う。ＶＣＩおよびＶＰＩは、アドレスではないが、接続が確立されたときに接続のＡＴＭノード間の各セグメント・リンクに明示的に割り当てられ、接続期間の間、存続する。ＶＣＩ／ＶＰＩを用いると、ＡＴＭ層は、複数の接続からのセルを非同期にインタリーブ（多重化）することができる。
【００１４】
イーサネット（登録商標）データは、カプセル化されて、一意的な仮想パス識別子／仮想チャネル識別子（ＶＰＩ／ＶＣＩ）を有するＡＴＭセルにもなる。ＡＴＭセル・ストリームは、ＤＳＬモデムに送信されて、変調され、ＤＳＬＡＭユニット９に伝送される。
【００１５】
ＤＳＬ信号は、加入者構内機器２のＤＳＬモデム３１で受信され復調され、ＶＰＩ／ＶＣＩ検出処理に送られる。次いで、エンド・ユーザの電話のそれと一致するＶＰＩ／ＶＣＩを備えたＡＴＭセル・データが抽出され、アナログＰＯＴＳに変換されて電話機に伝送される。エンド・ユーザのイーサネット（登録商標）のそれと一致するＶＰＩ／ＶＣＩを備えたＡＴＭセル・データが抽出され、ポートへの伝送のためにイーサネット（登録商標）トランシーバに伝送される。
【００１６】
ディジタル加入者線アクセス・マルチプレクサ（ＤＳＬＡＭ）９は、複数のＤＳＬモデムからのデータを復調し、ネットワークの残りの部分に接続するＡＴＭ基幹ネットワーク上にこのデータを集中させる。ＤＳＬＡＭは、ＤＳＬ回線をＡＴＭスイッチ１０のＡＴＭ出力に集中させることにより、パッケージ・ベース、セル・ベースおよび／または回路ベースのアプリケーションに迂回中継サービスを提供する。
【００１７】
ＡＴＭスイッチ１０は、ＡＴＭネットワークの基幹（ｂａｃｋｂｏｎｅ：バックボーン）である。ＡＴＭスイッチ１０は、セルのトランスポート、多重化および集中化、トラフィック制御、並びにＡＴＭ層管理など、ネットワークにおいて様々な機能を実行する。システム領域１００において特に注目すべき点は、ＡＴＭスイッチが、ＤＳＬＡＭ、ネットワーク制御システム１１およびインターネット・ゲートウェイ（インターネット・プロトコルＩＰルータ１３およびＤＳＬターミネータ１２）への接続におけるセルの経路指定およびバッファリングを行い、且つ複数の電話リンクのスイッチ１５と共にＴ１回路のエミュレーションのサポートを行うことである。例えば、Ｔ１回路は、１秒あたり８０００フレームの速度で伝送される１９３ビット・フレームにパックされた２４個の音声チャネルを生成する。全体のビット・レートは、例えば１．５４４Ｍｂｐｓである。フレーム化していない形態またはペイロードは、例えば全体のビット・レートが１．５３６Ｍｂｐｓでは１９２ビット・フレームを含んでいる。
【００１８】
ＡＴＭスイッチ１０は、衛星１７、ラジオ放送局１８またはケーブル・ネットワーク１９に接続された番組ガイド・サーバ／ビデオ・サーバ１６に結合されるものとして示してある。また、ＡＴＭスイッチ１０は、一対のＤＳＬターミネータ１２とＩＰルータ１３を介してインターネット１４に接続され、そこからインターネット・プロトコルＩＰパケット・データを受信する。
【００１９】
ネットワーク制御システム（ＮＣＳ）１１は、アドレス変換機能、要求割当て機能、および呼管理機能を提供する。ネットワーク制御システムの主な機能は、電話呼の発信および終了も含めてＤＳＬ／ＡＴＭネットワークの管理を行うことである。ＮＣＳは、基本的には、クラス５  ＰＳＴＮスイッチ（ＧＲ−３０３プロトコルを用いる）と加入者構内機器（ＣＰＥ）の間で制御情報の通信および変換を行う制御構成要素である。ネットワーク制御システム１１は、ＣＰＥへのコードのダウンロードや帯域幅および呼の管理（例えば、話中）機能などのその他の機能、並びにその他のサービス提供およびセットアップ・タスクに利用することもできる。
【００２０】
ディジタル電話の場合には、電話局１００は、個人加入者または企業加入者３５に対して音声データをディジタル形式で送信するのに必要な機器を備えている。ＤＳＬは、これを実現する機構の１つとして広く認められており、本発明でも利用することができる。ＤＳＬを用いた場合には、加入者側では、ＤＳＬモデム３１が電話局１００からの情報を解釈し、場合によってはこの情報を再フォーマットして、従来のアナログ電話機に送信されるアナログ信号にすることもできる。
【００２１】
加入者がディジタル電話を有する場合には、情報をアナログに再フォーマット化する必要はない。これを説明するために、ディジタル電話３（４、５、または６）は、回線２４でディジタル信号を受信し、必要な処理を行ってユーザに聞こえる信号を生成する。逆に送信の場合は、音声信号を符号化してＤＳＬモデム３１に送信するディジタル・ストリームにする。回線２４は複数のチャネルに分解されたＡＴＭセルを搬送することが好ましい。これらのチャネルは、音声チャネルおよびデータ・チャネルを両方とも含むこともできる。
【００２２】
従って、ディジタル電話リンクは、別個の音声チャネルおよびデータ・チャネルで構成されることに留意されたい。音声チャネルで搬送されるのは、音声情報のみである。情報は、システムが扱うことのできる複数のモードのうち何れか１つのモードで転送することができ、例えば時分割多重アクセス（ＴＤＭＡ：Ｔｉｍｅ  Ｄｉｖｉｓｉｏｎ  Ｍｕｌｔｉｐｌｅｘｉｎｇ  Ａｃｃｅｓｓ）、周波数分割多重アクセス（ＦＤＭＡ：Ｆｒｅｑｕｅｎｃｙ  Ｄｉｖｉｓｉｏｎ  Ｍｕｌｔｉｐｌｅｘｉｎｇ  Ａｃｃｅｓｓ）、またはその他任意のモードを利用する。モードにかかわらず、本発明の制御システムおよびソフトウェアは、これらのチャネルを区別している。データ・チャネルは、制御情報または汎用データ伝送を搬送する。システム１は、データベース・アプリケーション３０も含んでいる。このデータベース・アプリケーション３０は、データ・ネットワークを介して容易にアクセスできるように、電話局１００に配置することもできるし、その他適当な位置に配置することもできる。データベース・アプリケーション３０は、住居および店舗の番号リストに関する情報、並びに電話番号リストに関連する関心のある任意の追加情報を含んでいる。一実施形態では、データベース・アプリケーション３０は、番組ガイド・サーバ／ビデオ・サーバ／音声メール・サーバ１６に含まれる。音声メール・サーバ１６は、発呼者とインタフェースをとってメッセージを残したり取り出したりするための、ソフトウェアで実現されることが好ましい応答装置３９を含んでいる。
【００２３】
データベース・アプリケーション３０に対して、例えば家庭の電話機などの遠隔装置から直接問合せを行うこともできる。これにより、人間の交換手またはその他の機械の介在が不要となる。
【００２４】
ディジタル加入者線アクセス・マルチプレクサ（ＤＳＬＡＭ）９は、ＡＴＭ切換えと連動して動作し、セルのトランスポート、多重化および集中化、トラフィック制御、並びにＡＴＭ層管理など、ネットワークにおける様々な機能を実行する。ＡＴＭ切換えにより、ＤＳＬＡＭ９と関連したセルの経路指定およびバッファリングが行われる。
【００２５】
図２を参照すると、高性能電話機４０（図１に示す電話機３〜６と同様に接続される）を利用して、電話局１００（図１）、或いは構内交換設備（ＰＢＸ）にあるローカル・データベースまたはその他のローカル・データベースから電話帳機能を呼び出すことができる。本発明の一実施形態による高性能電話機４０は、電話帳から取り出した情報を表示するための液晶ディスプレイ（ＬＣＤ）またはその他のディスプレイ４２を含むことができる。記憶した番号、以前にダイヤルした番号または発信者番号機能（ｃａｌｌｅｄ−ＩＤ  ｆｅａｔｕｒｅ）を呼び出すために電話機にディスプレイを付けることは、今日では一般的である。電話機４０は、受信機４３を含み、スピーカなどその他の機構を含むこともできる。電話機４０は、接続しようとする番号をダイヤルするための数字キーパッド４５を含んでいる。大部分の電話機が有するキーパッドは、「０」〜「９」の数字、「＊（アスタリスク）」および「＃（シャープ）」と、頻繁に呼び出される番号を記憶して呼び出すための幾つかの追加キーを備えている。案内サービスの場合には、電話機は、追加キー４４を有することもある。
【００２６】
この場合には、追加ボタン４４は、情報を要求するための専用機構となる。ボタン４４は、電話機がオフフック状態であってもオンフック状態であっても押すことができる。ボタン４４を押すと、ディジタル・ネットワークを介してデータベース・アプリケーション３０（図１）に信号が送信される。データベース・アプリケーション３０は、これに応答して、電話機４０のＬＣＤディスプレイ４２を用いて更なる情報を求める適当なプロンプトを示すことができる。要求者は、プロンプトに応答して、数字キーパッド（文字を示す機能も備える）を用いて所望の情報を入力する。一実施形態では、データ・チャネルを利用して電話番号情報を提供する。このようにして、音声サービスと電話番号案内を同時に利用することが可能である。別法として、追加の音声チャネル（即ち、音声チャネルが２つになる）を利用して、電話番号案内を音声サービスと同時に提供することもできる。
【００２７】
プロンプトおよび応答は、１つまたは複数の項目メニューにより誘導する。例えば、ある加入者が自分の住む地域のピザ宅配サービスを探そうとするものとする。ボタン４４を押すと、「広告主を探す場合は、１を押してください」や「リストが必要な場合は、２を押してください」などのプロンプトが、ディスプレイ４２に表示される。加入者が「１」を押した場合には、例えば「カテゴリ（分類）」を示す第２のプロンプトが表示され、これに対して加入者は、キーパッドで「Ｐｉｚｚａ（ピザ）」とタイプして応答する。テキスト情報を数字キーパッドに入力する方法には様々なものがある。例えば、「Ｐ」は７、１という数字の並びで表すこともできる。つまり、キー７が文字Ｐ、Ｑ、Ｒ、Ｓを含み、Ｐはこれら入力可能な文字のうちで１番目の文字であるということである。同様にして「ｉ」は４、３という数字の並びで表すことができ、以下同様に行うことができる。本発明による電話番号案内は、電話機の代わりに、例えば有線または無線接続でネットワークに接続された携帯情報端末を用いて実施することもできる。更に、ＤＳＬモデムおよび音声受話器またはマイクロフォン／スピーカを備えたパーソナル・コンピュータを利用することもできる。
【００２８】
加入者が、情報を入力すると、データベース・アプリケーション３０は、電話番号および／または加入者にとって有用と考えられるその他の情報フィールドを含む適当なリストを返送する。図３は、加入者の問合せに応じる幾つかの電話番号リストを示す例示的なディスプレイ４２を示す図である。
【００２９】
図４を参照すると、識別子、カーソル、セレクタ５０またはその他のインジケータが表示されている（図４ではアステリスク（＊）で示す）。ユーザは、サムホイール（ｔｈｕｍｂｗｈｅｅｌ）、電話のキーまたは電話機４０のその他の機構４１（図２）を使用してセレクタを上下に移動させ、所望の項目を選択した後で、オフフック状態にして音声接続を確立する。或いは、ユーザは、オフフック状態にして手作業で数字をダイヤルして、所望の相手と連絡をとることもできる。更に進んだディスプレイになると、当事者に関するより多くの情報を集めるためのデータ・アドレス（例えば、ＵＲＬ）や電話帳に載っている個人・企業の実際の住所など、より多くの情報を表示することもできる。ユーザが、リストを端から端までスクロールした後で、電話機のキー、例えばキー４４を押して、リストに載っている項目に対する呼を行うことができる。このようにして、カーソル５０に示されて選択された項目に対して直接呼が行われる。リダイヤル機能に似た技術を利用して呼を行うこともできる。このサービスを介して呼を行うと、例えば呼毎に、または均一月額料金で課金され、ユーザが料金を請求されることもある。キー４４は、電話番号案内では、データベース・アプリケーション３０への常時接続アクセスを提供することが好ましい。電話番号案内は、電話機がオフフック状態であるとき、および呼を行っている最中でも利用することができるので有利である。本発明により提供される電話番号案内は、電話機がオンフック状態であるときにも提供する。ＤＳＬは複数の音声呼を扱うことができるので、別の呼を行っている場合でも、本発明によれば、ユーザは、第２の音声チャネルを使用して電話番号案内にダイヤルする。
【００３０】
電話回線を介して接続された遠隔データベース・アプリケーションを利用して、電話番号リストまたは商業広告情報を提供する利点は、数多くある。例えば、ユーザが、何冊もの電話帳の中から手作業で情報を検索する必要がない。更に、データベース・アプリケーションは、要求側ユーザの位置・場所も含めた情報を有している。位置情報を利用して、要求者の近所に該当するように検索結果をふるいにかけることができる。電話番号案内の提供側は、好ましい相手に応じて列挙する検索結果に優先順位を付けることもできる。例えば、高いリスト優先順位を得るために料金を支払っている個人・法人は、太字で、またはリストの一番上に表示することができる。ユーザにとって重要なその他の情報もこの機構を介して伝送することができるので好都合である。例えば、アプリケーションは、現在開いている店舗のリストしか提供しないこともある。グラフィカル・ディスプレイであれば、リスト内の店舗の営業時間を提供することもできるし、或いはリスト内の店舗から閉まっている店舗を除外することもできる。所望の個人または店舗をより正確に突き止めるために、要求側が追加情報を与えることもできる。その一例は、郵便番号である。更に、ユーザは、システムに対して問合せを行って、リストの検索を行うことができることもある。例えば、レストラン・カテゴリを新たにリスト検索して、新たに電話帳に登録されたレストラン、例えば過去１年以内に登録されたレストランの名前を提供することもできる。検索カテゴリとしては、その他のカテゴリも考えられる。
【００３１】
問合せは、電話などの遠隔装置のキーを選択することにより、または音声認識機能付きの電気変換器（例えば、マイク）に対して音声を発することにより行うこともできる。例えば、音声からテキスト（文字）への変換は、遠隔装置（例えば、電話機４０）で行うことも、或いは電話局１００にあるアプリケーションで処理することもできる。
【００３２】
代替実施形態では、高性能電話機のユーザ・インタフェースを音声メールに利用する。図５および図６を参照すると、音声メールの場合には、ディスプレイ・スクリーン６０は、１つまたは複数の音声メール・メッセージが利用可能であることを示すアイコン（Ｍ）６２を有することがある。一実施形態では、応答装置６３を通信装置６１に直接接続して、通信装置６１のメッセージを受信および記録する。別の実施形態では、サーバ１６（図１）は、ＤＳＬネットワークを介してメッセージを受信して記録する音声メール・サーバを含んでいる。音声メール・サーバ１６を利用する実施形態は、本明細書に記載の電話番号案内アプリケーションとほとんど同じ働きをする。機構６６は、応答装置に残っているメッセージについては、受信メッセージ・リストとしてディスプレイに表示できるようにメッセージ情報を変換する。機構６６は、電話回路から情報を取り出してこの情報をテキスト形態で表示することができる任意の既知の装置を含むことができる。代替実施形態では、メッセージ内容自体から音声を認識し、認識した内容を通信装置のディスプレイに表示することにより、情報をテキスト形態で生成することができる（例えば、先頭の数語や最初の名詞など）。既知の音声認識アルゴリズムを利用する。その他のアルゴリズムで、音声／テキスト変換を実行することもできる。例えば、機構６６は、変換アルゴリズムを通じて音声メール・メッセージを処理した後で、この情報をテキスト形態で表示する音声／テキスト変換アルゴリズムを含むことができる。
【００３３】
ユーザは、選択機構４１を使用して（例えば、ボタン４４を押して、またはサムホイールまたはその他のデバイスを動かして）カーソルまたはインジケータを項目（メッセージ）の隣に移動させることができる。ディスプレイ・スクリーン６０上で選択を行うことができるようになり、ユーザが、キーを押して音声メールを入力する。ユーザが音声メールを入力すると、高性能ユーザ・インタフェースは、メールボックス内の全ての音声メール・メッセージ６４をディスプレイ・スクリーン６０に列挙する。このリストは、発呼者の電話番号、発呼者の名前、呼が行われた日時、またはその他のデータを含むことが好ましい。これらのデータは、電話回路を接続する間（例えば、メッセージの長さ）に収集する。更に、例えば発呼者がメッセージを残す前に電話を切った場合には、その他の情報をリストすることもできる。
【００３４】
ディスプレイ６０および選択機構４１を用いることで、ユーザは、全てのメール・メッセージを順番に閲覧することも、或いはどのメッセージを聞くか選択することもできる。ユーザは、アルファベット順、着呼時間順、発呼者の番号に応じた数的順序、またはその他の何らかのアルゴリズムなど、新たな順番でメッセージを再表示することもできる。選択が行われると、データ回路を通じてユーザに対して音声が再生される。
【００３５】
本発明では、音声メールの制御および聴取も含めて任意のデータ照会の間、音声チャネルを開いておくことができるので有利である。このことには、ユーザが、電話番号情報を調べている間、音声メッセージを再表示している間、またはその他のアプリケーションを使用している間にも、呼の入来が可能であるという利点がある。一実施形態では、データ・チャネルを利用して、音声メッセージの取出しを行う。このようにして、音声の使用と音声メールの取出しが同時に行われる（例えば、音声メールを取り出す間、電話をオフフック状態にし、且つ呼を行う）。或いは、追加の音声チャネルを利用して、音声サービスと同時に音声メール取出しサービスを提供することもできる。
【００３６】
本発明の機能に対応する端末電話は、ディジタルでもアナログでもよい。電話機がディジタルである場合には、電話機とＤＳＬモデムと電話局の間のディジタル双方向層相互接続が直接行われる。電話機がアナログである場合には、ＤＳＬモデムとアナログ電話機の間で送受信されるディジタル情報を音声の帯域幅より上に変調しなければならない。アナログ電話機は、音声の帯域幅より上に変調された情報を受信するために、追加のモデムを備えなければならない。この場合も、ＤＳＬモデムと電話局の間のディジタル情報の伝送は、前者の場合と全く同じである。
【００３７】
図７を参照すると、本発明の一実施形態による、通信ネットワークを介してエンド・ユーザに対してテキスト電話番号案内を提供する方法が示してある。ブロック１００で、ユーザは、通信ネットワーク内に配置されたデータベース・アプリケーション３０（図１）との通信を開始する。アプリケーション３０は、通信装置から離れた位置に配置することが好ましい。通信装置は、テキスト情報を表示することができるディスプレイを有する。通信装置は、高性能電話機を含むことが好ましいが、ＰＤＡおよび同様の装置であることも考えられる。ブロック１０２で、通信装置からの情報をユーザがキー入力することにより、電話番号カテゴリを選択する。情報のキー入力は、データベース・アプリケーションが生成するものとして通信装置のディスプレイ上に生成されるプロンプトまたは問合せに従って行われる。ブロック１０４で、キー入力された情報に応答して、少なくとも１つの電話番号項目が受信され、通信装置のディスプレイに表示される。上述のように、ユーザが要求する情報に合致する項目のリストが生成され表示されることが好ましい。
【００３８】
ブロック１０６で、カーソルとサムホイールや電話のキーなどの機構とを利用してリストをスクロールすることにより、項目リストから項目を選択する。リストが選択されると、キーを押す、またはその他何らかの肯定動作を行うことにより、その項目に対する呼を開始する。これらのステップは、電話機がオンフック状態でもオフフック状態でも行うことができる。或いは、ブロック１０８で、データベース・アプリケーションから戻ってきた項目を配列し、順序づけ、または選択して、その後にエンド・ユーザの装置に送信することもできる。例えば、要求のあった時点で営業時間内である店舗項目のみを表示することもできる。これらの店舗項目に関してある優先基準に従って順序づけを行い、この優先基準に従ってユーザに対して示すこともできる。この優先基準は、優先的にリストされるために追加料金を支払った店舗や、電話番号案内のサービス提供者と協力関係にある店舗をリストすることもある。その他の優先基準も考えられる。
【００３９】
ディジタル加入者線モデム用の電話番号伝送システムおよびその方法の好ましい実施形態について述べたが（例示のためのものであって限定的なものではない）、当業者なら、上記の開示に照らして様々な修正および変更を行うことができることに留意されたい。従って、開示した本発明の特定の実施形態に、特許請求の範囲にその要点を記載する本発明の範囲および趣旨を逸脱しない変更を加えることができることを理解されたい。以上、特許法により特に求められる詳細と併せて本発明について記載したが、特許証により保護されることが望ましい特許請求事項は、特許請求の範囲に記載してある。
【図面の簡単な説明】
【００４０】
【図１】本発明による、エンド・ユーザに電話番号案内を提供することができるデータベース・アプリケーションを有するディジタル加入者線（ＤＳＬ）システム・アーキテクチャを示すブロック図である。
【図２】本発明による、電話番号案内を提供することができる例示的な電話装置を示す概略図である。
【図３】本発明による、図２に示す電話装置の例示的なディスプレイを示す図である。
【図４】本発明による、項目を指定するセレクタまたはカーソルを示す図３の電話装置の例示的なディスプレイを示す図である。
【図５】本発明による、メッセージ・サービスを提供することができる例示的な電話装置を示す概略図である。
【図６】本発明による、メッセージ項目を指定するセレクタまたはカーソルを示す図５の電話装置の例示的なディスプレイを示す図である。
【図７】本発明による、電話番号案内を要求して受信する例示的な方法を示すブロック流れ図である。
【図１】
2005515717.tif 000003
【図２】
2005515717.tif 000004
【図３】
2005515717.tif 000005
【図４】
2005515717.tif 000006
【図５】
2005515717.tif 000007
【図６】
2005515717.tif 000008
【図７】
2005515717.tif 000009
【国際調査報告】
2005515717.tif 000010